(57)【要約】【課題】紙容器に形成される一つの部材に複数の機能を持たせ，利便性を向上する。【解決手段】紙容器１は一枚の厚紙から形成されるもので，容器本体と，容器本体の上縁に一部が連設され，容器本体の上開口を開閉する蓋板16とを備えている。蓋板16は，上記蓋板16の先端縁に連設され，蓋板16が閉じられたときに容器本体内に挿入されるフラップ16ａを備えている。容器本体は，蓋板16が閉じられたときにフラップ16ａが位置する容器本体の前側板12の上縁に連設され，上記上縁に沿って折られる多機能片22，ならびに多機能片22の両側縁のそれぞれに沿い，容器本体の前側板12の上部に形成された一対の切込みＫ１，および上記一対の切込みＫの先端同士を結ぶ折り線Ｌ１によって規定されるレバー片21を備えている。【選択図】図６
2019177890.tif 000002
【特許請求の範囲】
【請求項１】
一枚の厚紙から形成される，容器本体と，上記容器本体の上縁に一部が連設され上記容器本体の上開口を開閉する開閉面部とを備え，
上記開閉面部が，
上記開閉面部の先端縁に連設され，上記開閉面部が閉じられたときに上記容器本体内に挿入されるフラップを備え，
上記容器本体が，
上記開閉面部が閉じられたときに上記フラップが位置する上記容器本体の壁面部の上縁に連設され，上記壁面部上縁に沿って折られる多機能片，ならびに
上記多機能片の両側縁のそれぞれに沿って上記容器本体の壁面部の上部に形成された一対の切込み，および上記一対の切込みの先端同士を結ぶ折り線によって規定されるレバー片を備えている，
蓋付紙容器。
【請求項２】
上記多機能片の突出長さが上記フラップの突出長さよりも長く，
上記多機能片が上記壁面部上縁に沿って内側に折り畳まれて上記レバー片と重ねられ，上記フラップと上記レバー片の間に挟まれている，
請求項１に記載の蓋付紙容器。
【請求項３】
上記開閉面部と上記フラップとの境界にスリットが形成されており，
上記多機能片が上記壁面部上縁に沿って内側に折られて上記スリットに差し込まれている，
請求項１に記載の蓋付紙容器。
【請求項４】
上記多機能片の裏面に粘着剤または接着剤が設けられ，
上記多機能片が上記開閉面部の外面に接着されている，
請求項１に記載の蓋付紙容器。
【請求項５】
一枚の厚紙から形成される，容器本体と，上記容器本体の上縁に一部が連設され，上記容器本体の上開口を開閉する開閉面部とを備え，
上記開閉面部が，上記開閉面部の先端縁に連設され，上記開閉面部が閉じられたときに上記容器本体内に挿入されるフラップを備え，
上記容器本体が，上記開閉面部が閉じられたときに上記フラップが位置する上記容器本体の壁面部の上縁に連設され上記壁面部上縁に沿って折られる多機能片，ならびに上記多機能片の両側縁のそれぞれに沿って上記容器本体の壁面部の上部に形成された一対の切込み，および上記一対の切込みの先端同士を結ぶ折り線を備え，
初期封止状態において，上記多機能片の裏面が上記開閉面部の外面に接着され，
第１の再封状態において，上記多機能片が上記壁面部上縁に沿って内側に折られて上記開閉面部と上記フラップの境界に形成されたスリットに差し込まれ，
第２の再封状態において，上記多機能片が上記壁面部上縁に沿って内側に折り畳まれて上記フラップと上記容器本体の壁面部との間に挟まれる，
蓋付紙容器。
【発明の詳細な説明】
【技術分野】
【０００１】
この発明は蓋付紙容器に関する。
【背景技術】
【０００２】
紙容器に施される様々な工夫の一つに蓋ロックが知られている。特許文献１は，蓋板の先端縁から外方に突出する係止片を形成し，かつ蓋板が閉じられたときに蓋板の先端縁が重なる前側板の箇所に切込みを形成し，係止片を切込みに差し込むことで蓋板を簡易に係止する紙容器を記載する。
【先行技術文献】
【特許文献】
【０００３】
【特許文献１】特許第６１９１８６４号公報
【０００４】
特許文献１において，切込みに差し込まれる係止片は蓋板を係止することのみに用いられる。係止のみならずその他の機能を係止片に持たせると便利である。
【発明の開示】
【０００５】
この発明は，紙容器に形成される一つの部材に複数の機能を持たせ，利便性を向上することを目的とする。
【０００６】
第１の発明による蓋付紙容器は，一枚の厚紙から形成される，容器本体と，上記容器本体の上縁に一部が連設され上記容器本体の上開口を開閉する開閉面部（蓋板）とを備え，上記開閉面部が，上記開閉面部の先端縁に連設され上記開閉面部が閉じられたときに上記容器本体内に挿入されるフラップを備え，上記容器本体が，上記開閉面部が閉じられたときに上記フラップが位置する上記容器本体の壁面部の上縁に連設され，上記壁面部上縁に沿って折られる多機能片，ならびに上記多機能片の両側縁のそれぞれに沿って上記容器本体の壁面部の上部に形成された一対の切込み，および上記一対の切込みの先端同士を結ぶ折り線によって規定されるレバー片を備えている。
【０００７】
この発明によると，容器本体の壁面部に形成された一対の切込み片と一対の切込み片の先端同士を結ぶ折り線によって規定されるレバー片を外向きに倒す（容器本体の壁面部に形成された折り線を軸にして下向きに浅い角度だけ回転させる）ことができる。レバー片は折り線を回転軸にして容器本体の壁面部の外側で下向きに倒れる。レバー片には多機能片がつながっているので，レバー片を外向きに倒すと，これに伴って多機能片も動かすことができる。
【０００８】
一実施態様では，上記多機能片の突出長さが上記フラップの突出長さよりも長く，上記多機能片が上記壁面部上縁に沿って内側に折り畳まれて上記レバー片と重ねられ，上記フラップと上記レバー片の間に挟まれている。この状態でレバー片を外向きに倒すと，容器本体の内部においては，レバー片に重なっている多機能片が，倒されたレバー片によって上向きに起き上がる（容器本体の壁面部に形成された折り線を軸にして上向きに浅い角度だけ回転される）。上記多機能片の突出長さが上記フラップの突出長さよりも長いので，上向きに起き上がる多機能片によって上記フラップの先端縁が上向きに押され，フラップがつながる開閉面部が上方に跳ね上げられる。このように，レバー片を倒すだけで開閉面部を簡単に開く（ワンタッチオープンする）ことができる。
【０００９】
好ましくは，上記開閉面部と上記フラップとの境界にスリットが形成されており，上記多機能片が上記壁面部上縁に沿って内側に折られて上記スリットに差し込まれる。上述した多機能片を，開閉面部を容器本体に固定するためのロックに用いることができる。
【００１０】
一実施態様では，上記多機能片の裏面に粘着剤または接着剤が設けられ，上記多機能片が上記開閉面部の外面に接着される。初期状態（開閉面部を一度も開封していない状態）において多機能片を開閉面部の外面に接着しておくことで，販売時点における未開封確認性（バージン性）を付与することができる。
【００１１】
開閉面部から剥がした多機能片を摘まんで側方に引っ張る（折る）と，多機能片のみならず，レバー片も外向きに引っ張られる（折られる）。レバー片の内側の，開閉面部の先端縁に連設されたフラップが大きく露出するので，露出したフラップに指をかけて簡単に開閉面部を初期開封することができる。
【００１２】
この発明による蓋付紙容器は，次のように規定することもできる。すなわち，第２の発明による蓋付紙容器は，一枚の厚紙から形成される，容器本体と，上記容器本体の上縁に一部が連設され，上記容器本体の上開口を開閉する開閉面部（蓋板）とを備え，上記開閉面部が，上記開閉面部の先端縁に連設され，上記開閉面部が閉じられたときに上記容器本体内に挿入されるフラップを備え，上記容器本体が，上記開閉面部が閉じられたときに上記フラップが位置する上記容器本体の壁面部の上縁に連設され，上記壁面部上縁に沿って折られる多機能片，ならびに上記多機能片の両側縁のそれぞれに沿って上記容器本体の壁面部の上部に形成された一対の切込み，および上記一対の切込みの先端同士を結ぶ折り線を備え，初期封止状態において，上記多機能片の裏面が上記開閉面部の外面に接着され，第１の再封状態において，上記多機能片が上記壁面部上縁に沿って内側に折られて上記開閉面部と上記フラップの境界に形成されたスリットに差し込まれ，第２の再封状態において，上記多機能片が上記壁面部上縁に沿って内側に折り畳まれて上記フラップと上記容器本体の壁面部との間に挟まれる。多機能片に複数の機能（初期封止機能，第１の再封機能および第２の再封機能）を持たせることができ，すなわち，初期封止機能によって未開封確認機能（バージン性確認機能）を，第１の再封機能によってロック機能を，第２の再封機能によってワンタッチオープン機能を実現することができる。また，上記一対の切込みによって挟まれる容器本体の壁面部の上部を折り線に沿って外側に折ると，その下側（内側）にある上記開閉面部の先端のフラップが大きく露出するので，露出したフラップに対する指掛かりがよくなり，開閉面部を簡単に初期開封することもできる。
【図面の簡単な説明】
【００１３】
【図１】紙容器を形成する厚紙の展開図である。
【図２】蓋板を開いた状態の紙容器の斜視図である。
【図３】蓋板を閉じた状態の紙容器の斜視図である。
【図４】多機能片をスリットに挿入した状態の紙容器の斜視図である。
【図５】多機能片を紙容器内に折り畳んだ状態の紙容器の斜視図である。
【図６】蓋板を跳ね上げたときの紙容器の斜視図である。
【発明を実施するための最良の形態】
【００１４】
以下，この発明による紙容器の実施例を詳細に説明する。
【実施例】
【００１５】
図１から図６はこの発明の実施例による紙容器を示している。この実施例による紙容器は１枚の厚紙により作られる。厚紙は板紙（ボール紙），ミルクカートン用紙，画用紙，ケント紙，段ボール等を含み，いわゆる合成紙（積層紙），複合紙でもよく，各種熱可塑性樹脂を積層（たとえばラミネート）したものでもよい。使用する厚紙の坪量は，収納する内容物や積層する熱可塑性樹脂の積層厚にしたがって適宜設計することができ，たとえば150〜600ｇ／ｍ2 のものを用いることができる。
【００１６】
図１は紙容器１を形成する厚紙（ブランク）の展開図であり，紙容器１の内側となる面を見たものである。一点鎖線は紙容器１を作るときに谷折りにされる折り線を，二点鎖線は紙容器１を作るときに山折りされる折り線を，それぞれ示している。好ましくは，折り曲げを容易にするために，この一点，二点鎖線に沿って折り線加工または折罫加工が施される。図２は，図１に示すように型取り（型抜き）された型紙（ブランク）を折り曲げかつ必要箇所を接着（糊付け）することにより作成した紙容器１を，その上面を開口させた状態で示している。図３は上面を閉じた初期封止状態の紙容器１の斜視図を示している。
【００１７】
図１を参照して，紙容器１のブランクは方形の底板11を備えている。この底板11の前，後（正面，背面）がわにあたる境界（一点鎖線で示される折り線）から前側板12および後側板13がそれぞれ連続して互いに反対方向に延びている。同様に底板11の左，右がわにあたる境界から左側板14および右側板15がそれぞれ連続して互いに反対方向に延びている。これらの前側板12，後側板13，左側板14および右側板15はいずれも底板11から遠ざかるにしたがってその幅が広がっており，紙容器１に形成されたときに上方が大きく口を開くようになっている。
【００１８】
前側板12の左右両側に概略三角形の折込み片12ａが連続して形成されている。同様に，後側板13，左側板14，右側板15の左右両側にも概略三角形の折込み片13ａ，14ａ，15ａが連続してそれぞれ形成されている。さらに隣接する折込み片同士は底板11の隅から外方に向けて延びる折り線の箇所で連結されている。隣り合う２つの折込み片によって，合計４つのウェッブコーナー部が紙容器１に形成される。
【００１９】
後側板13の先端縁（組み立てられたときの上縁）に蓋板（開閉面部）16が連設され，上記連設箇所と反対側の蓋板16の先端縁にフラップ16ａが連設されている。蓋板16は紙容器１の上開口にほぼ合致する方形の形状および大きさを持つ。蓋板16とフラップ16ａとの間の境界のほぼ中央には，次に説明する多機能片22を差し込むための所定長のスリットＳが形成されている。
【００２０】
左側板14，右側板15のそれぞれ先端縁にもフラップ14ｂ，15ｂが連設されている。
【００２１】
前側板12の先端縁（組み立てられたときの上縁）のほぼ中央部分に，折り線Ｌ２を介して概略方形の多機能片22が連設されている。多機能片22の幅（左右端の間の長さ）は上述したスリットＳの長さとほぼ等しい，またはわずかに狭い。
【００２２】
多機能片22の両側縁（折り線Ｌ２の両端）に沿って短くのびる一対の切込みＫ１が前側板12の上部に形成されており，前側板12に形成された一対の切込みＫ１の先端同士が折り線Ｌ１によって結ばれている。折り線Ｌ１および一対の切込みＫ１によって囲まれる，多機能片22に隣接する前側板12の上部の矩形範囲21を，以下，レバー片21と呼ぶ。
【００２３】
多機能片22の突出長さ（折り線Ｌ２から多機能片22の先端縁までの長さ）Ｗ２は，蓋板16の先端縁に連設されたフラップ16ａの突出長さ（蓋板16との境界からフラップ16ａの先端縁までの長さ）Ｗ１よりも長い。多機能片22の突出長さＷ２をフラップ16ａの突出長さＷ１よりも長くする技術的意義は後述する。
【００２４】
上記のように型取り（型抜き）された厚紙（ブランク）は，その折り線（一点鎖線および二点鎖線）に沿って折り曲げられ，かつ所望箇所が接着されて図２ないし図３に示す形の紙容器１が作成される。
【００２５】
すなわち，底板11に対して前後左右の側板12，13，14，15を起立させ，折込み片12ａ〜15ａを外側に引き出して折込むことで４つのウェッブコーナー部を形成し，２つずつのウェッブコーナー部を左側板14および右側板15のそれぞれ外面に接着して貼り合わせる。左右側板14，15に重ねられるウェッブコーナー部は，左右側板14，15の下縁の左右端から互いに近づく向きに斜めに延び，途中で方向を変えて縦向きにのびる縁部を形成する。図２に示す上方が開口した概略直方体状の紙容器１が形成される。ウェッブコーナー部が形成されているので，内容物が水分や油分を含むものであっても，紙容器１は漏れをほとんど生じさせることがない。
【００２６】
上方開口から内容物が紙容器１内に入れられ，その後に上方開口も閉じられる。すなわち，左側板14，右側板15の先端縁（上縁）につながるフラップ14ｂ，15ｂをほぼ直角に内側に折り曲げ，フラップ16ａを内側にほぼ直角に折り曲げた状態で蓋板16を内側にほぼ直角に折り曲げ，フラップ16ａを前側板12の内面側に差し込む。最後に，折り線Ｌ２に沿って多機能片22を内側にほぼ直角に折り曲げ，蓋板16の外面に沿わせる。図３を参照して，多機能片22の裏面には粘着力の弱い粘着剤（図示略）が設けられ，多機能片22は蓋板16の外面に軽く接着される。
【００２７】
紙容器１は必要に応じてシュリンクフィルムによって覆われて店頭販売される。シュリンクフィルムに加え，多機能片22の接着によっても紙容器１の未開封確認（バージン性確認）を行うことができる。たとえば，多機能片22の裏面（蓋板16の外面に接する部分）に，紙の表層のみを切り込む複数の半切れ線やハーフカット線を形成しておくとよい。初期開封すると，多機能片22の紙の表層のみが剥がれて，剥がれた紙の表層が蓋板16に接着された状態に残される。これによって初期開封が行われたことを容易に判断することができる。店頭における子供のいたずらが防止され，また食品容器としての安全性を高めることができる。
【００２８】
内容物を取り出す場合には，はじめに多機能片22が蓋板16から剥がされ，蓋板16があけられる。蓋板16は後側板13との境界の折り線をヒンジにして回動される。紙容器１の上開口（図２）から内容物が取り出される。
【００２９】
多機能片22を蓋板16から剥がしてそのまま側方（斜め下方）に引っ張ることで，レバー片21も折り線Ｌ１において外向きに引っ張る（折り曲げる）ことができる。レバー片21の内側の，蓋板16の先端のフラップ16ａが大きく露出するので，露出したフラップ16ａに対する指掛かりがよく，蓋板16を簡単に初期開封する（蓋板16を持ち上げる）ことができる。子供や高齢者であっても簡単に蓋板16を初期開封することができる。
【００３０】
多機能片22の先端部分に破断線（ハーフカット線，ミシン目等）（図示略）を形成しておき，多機能片22のうち破断線から先端までの範囲を蓋板16の外面に接着するようにしてもよい。初期開封するときに多機能片22は破断線に沿って２つに裂かれ，先端部分のみが蓋板16に接着された状態に残される。
【００３１】
多機能片22を一旦蓋板16から剥がすと，多機能片22の粘着力はほとんど無くなる。一度開封した紙容器１を再封するときに，多機能片22と，上記蓋板16とフラップ16ａとの境界に形成されたスリットＳとを用いることができる。すなわち，図４に示すように，多機能片22をスリットＳに差し込むと，紙容器１の上開口が蓋板16によって塞がれ，かつ蓋板16が多機能片22によって閉鎖状態に簡易に固定され，多機能片22をスリットＳから抜かなければ蓋板16を開けることができない。多機能片22をスリットＳに抜き差しするときには，レバー片21を外側に傾けることができる。多機能片22を用いて蓋板16を簡易に固定することによって，食べかけの紙容器１を持ち運ぶときに蓋板16が簡単には開かないようにする（中身がこぼれないようにする）ことができる。また，子供のいたずら防止にも効果的である。
【００３２】
上述した蓋板16の簡易固定が必要とされない場合であれば，図５に示すように，多機能片22を紙容器１の内側に折り畳んで前側板12の内面に沿わせてもよい。折り畳まれた多機能片22はスリットＳに挿入されず，紙容器１の内部において上記レバー片21と重ねられ，蓋板16の先端部分のフラップ16ａとレバー片21との間に挟まれる。
【００３３】
図５に示すように多機能片22が折り畳まれているときに，レバー片21の上縁に指を掛け，レバー片21を外向き（下向き）に倒すと，図６に示すように，レバー片21は折り線Ｌ１を回転軸にして浅い角度だけ回転して下向きに傾斜し，紙容器１の内部では，レバー片21に重なっている多機能片22が斜め上向きに傾斜する。上述したように，多機能片22の突出長さＷ２がフラップ16ａの突出長さＷ１よりも長いので（図１参照），紙容器１の内部において多機能片22の先端縁はフラップ16ａの先端縁よりも下方に位置している。このため，傾斜した多機能片22によってフラップ16ａの先端縁が上向きに押され，フラップ16ａにつながる蓋板16が上方に跳ね上げられる。このようにレバー片21を下向きに倒すだけで，ワンタッチで蓋板16を開くことができる。
【００３４】
上述した実施例では，ウェッブコーナー部を備える概略直方体状の紙容器１を例示したが，紙容器はサック貼りタイプのもの（たとえば，特許第４３７４６９２号公報参照）やオートボトム・タイプのもの（たとえば，特開２０１２−１１１５１６号公報参照）であってもよい。また，紙容器の外形についても，直方体状に限られず，円筒状のものや，三角筒，五角筒その他の多角筒形状のものであってもよい。
【符号の説明】
【００３５】
１  紙容器
12  前側板
13  後側板
14  左側板
15  右側板
16  蓋板（開閉面部）
16ａ  フラップ
21  レバー片
22  多機能片
Ｋ１  切込み
Ｓ  スリット
Ｌ１  折り線
【図１】
2019177890.tif 000003
【図２】
2019177890.tif 000004
【図３】
2019177890.tif 000005
【図４】
2019177890.tif 000006
【図５】
2019177890.tif 000007
【図６】
2019177890.tif 000008